(57)【要約】【課題】火災報知設備の点検を行う者の居場所に関わらず、火災報知設備の点検を行えるようにする。【解決手段】火災報知設備２の点検者が所持する携帯端末２０は、火災感知器５０を試験するコマンドと、試験する火災感知器を特定するアドレスを受け付ける画面を表示する。携帯端末２０は、コマンドとアドレスとを受け付けると、受け付けたコマンドとアドレスとをサーバ装置１０へ送信し、サーバ装置１０は、携帯端末２０から送られたコマンドとアドレスとを通信端末４０へ送信する。通信端末４０は、送信されたコマンドとアドレスとを受信機３０へ送る。受信機３０は、送られたアドレスで特定される火災感知器５０を試験する。【選択図】図１
2014071659.tif 000002
【特許請求の範囲】
【請求項１】
火災報知設備の点検者によって所持される携帯端末と、
前記火災報知設備が有する感知器に接続された制御装置と、
前記携帯端末及び前記制御装置と通信回線を介して通信を行う点検支援装置と、
を備える点検支援システムであって、
前記携帯端末は、
前記感知器を試験するコマンドを受け付ける受付部と、
前記受付部が受け付けたコマンドを前記点検支援装置へ送信するコマンド送信部と
を有し、
前記点検支援装置は、
前記コマンド送信部から送信されたコマンドを受信し、受信したコマンドを前記制御装置へ送信するコマンド中継部を有し、
前記制御装置は、
前記コマンド中継部から送信されたコマンドを受信するコマンド受信部と、
前記コマンド受信部が受信したコマンドに基いて、前記感知器を試験する試験部と
を有する点検支援システム。
【請求項２】
前記点検支援装置は複数の前記携帯端末と通信を行い、一の前記携帯端末が前記感知器の試験開始を示す情報を前記点検支援装置へ送信してから試験終了を示す情報を前記点検支援装置へ送信するまでの間は、他の前記携帯端末は、前記感知器が試験中であることを表示し、当該表示中においては、他の前記携帯端末の前記受付部は、前記コマンドを受け付けない
請求項１に記載の点検支援システム。
【請求項３】
前記火災報知設備は、各々に固有のアドレスが割り当てられた複数の前記感知器を有し、
前記受付部は、前記点検者が前記コマンドと前記アドレスとを入力するための画面を表示し、前記感知器の試験開始を示す情報が送信されてから所定時間内に前記アドレスが入力されなかった場合、前記画面の表示を終了する
請求項２に記載の点検支援システム。
【請求項４】
前記制御装置は、前記点検者が操作する操作部を有し、
前記操作部で行われた操作で前記感知器の試験が開始されてから当該試験が終了するまでの間は、前記携帯端末は、前記感知器が試験中であることを表示し、当該表示中においては、前記受付部は、前記コマンドを受け付けない
請求項１乃至請求項３のいずれか一項に記載の点検支援システム。
【発明の詳細な説明】
【技術分野】
【０００１】
本発明は、火災報知設備の点検を支援する技術に関する。
【背景技術】
【０００２】
火災感知器の試験を行う発明として、例えば、特許文献１に開示された火災報知設備がある。この火災報知設備においては、火災受信機において感知器のアドレスを指定して試験の命令を送信すると、当該アドレスの感知器が試験処理を実行し、火災受信機が試験結果を表示する。
【先行技術文献】
【特許文献】
【０００３】
【特許文献１】特開平７−１１４６８２号公報
【発明の概要】
【発明が解決しようとする課題】
【０００４】
ところで、上記の火災報知設備の場合、火災報知設備の点検を行う者は、アドレスや命令の入力のために火災受信機の場所にいる必要があり、点検を行う場所が制限されていることとなる。
【０００５】
本発明は、上述した背景の下になされたものであり、火災報知設備の点検を行う者の居場所に関わらず、火災報知設備の点検を行えるようにすることを目的とする。
【課題を解決するための手段】
【０００６】
本発明に係る点検支援システムは、火災報知設備の点検者によって所持される携帯端末と、前記火災報知設備が有する感知器に接続された制御装置と、前記携帯端末及び前記制御装置と通信回線を介して通信を行う点検支援装置と、を備える点検支援システムであって、前記携帯端末は、前記感知器を試験するコマンドを受け付ける受付部と、前記受付部が受け付けたコマンドを前記点検支援装置へ送信するコマンド送信部とを有し、前記点検支援装置は、前記コマンド送信部から送信されたコマンドを受信し、受信したコマンドを前記制御装置へ送信するコマンド中継部を有し、前記制御装置は、前記コマンド中継部から送信されたコマンドを受信するコマンド受信部と、前記コマンド受信部が受信したコマンドに基いて、前記感知器を試験する試験部とを有する。
【０００７】
また、本発明においては、前記点検支援装置は複数の前記携帯端末と通信を行い、一の前記携帯端末が前記感知器の試験開始を示す情報を前記点検支援装置へ送信してから試験終了を示す情報を前記点検支援装置へ送信するまでの間は、他の前記携帯端末は、前記感知器が試験中であることを表示し、当該表示中においては、他の前記携帯端末の前記受付部は、前記コマンドを受け付けない構成としてもよい。
【０００８】
また、本発明においては、前記火災報知設備は、各々に固有のアドレスが割り当てられた複数の前記感知器を有し、前記受付部は、前記点検者が前記コマンドと前記アドレスとを入力するための画面を表示し、前記感知器の試験開始を示す情報が送信されてから所定時間内に前記アドレスが入力されなかった場合、前記画面の表示を終了する構成としてもよい。
【０００９】
また、本発明においては、前記制御装置は、前記点検者が操作する操作部を有し、前記操作部で行われた操作で前記感知器の試験が開始されてから当該試験が終了するまでの間は、前記携帯端末は、前記感知器が試験中であることを表示し、当該表示中においては、前記受付部は、前記コマンドを受け付けない構成としてもよい。
【発明の効果】
【００１０】
本発明によれば、火災報知設備の点検を行う者の居場所に関わらず、火災報知設備の点検を行うことができる。
【図面の簡単な説明】
【００１１】
【図１】本発明の一実施形態に係る点検支援システムの全体構成を示した図。
【図２】本発明の実施形態に係る点検支援システムの一例を示す機能ブロック図。
【図３】点検予定テーブルの一例を示した図。
【図４】設置データテーブルの一例を示した図。
【図５】実施形態の動作例を説明するためのシーケンス図。
【図６】携帯端末２０に表示される画面の一例を示した図。
【図７】携帯端末２０に表示される画面の一例を示した図。
【図８】携帯端末２０に表示される画面の一例を示した図。
【図９】携帯端末２０に表示される画面の一例を示した図。
【図１０】携帯端末２０に表示される画面の一例を示した図。
【図１１】携帯端末２０に表示される画面の一例を示した図。
【図１２】携帯端末２０に表示される画面の一例を示した図。
【図１３】携帯端末２０に表示される画面の一例を示した図。
【図１４】携帯端末２０に表示される画面の一例を示した図。
【発明を実施するための形態】
【００１２】
［実施形態］
図１は、本発明の実施形態に係る点検支援システム１の全体構成を示したシステム図である。通信回線１０００は、インターネットや電話網、移動体通信網などの通信回線である。点検支援システム１は、火災報知設備２の点検を行う者（以下、「点検者」と称する）が行う点検作業を支援するシステムであり、受信機３０、サーバ装置１０、携帯端末２０、通信端末４０で構成されている。点検者は、携帯端末２０を所持して火災報知設備２の点検を行う。点検者が火災報知設備２の点検を行う場合、受信機３０に接続された通信端末４０、サーバ装置１０及び携帯端末２０が通信回線１０００を介して通信を行うことにより、点検者は、点検作業の支援を受けることができる。
【００１３】
火災報知設備２は、建築物などの施設の内部に設置されている設備である。本実施形態に係る火災報知設備２は、Ｒ型（Record type）の受信機３０、火災感知器５０−１、５０−２、・・・、５０−ｎ（以下、それぞれを区別しない場合には火災感知器５０という）、発信機５１を有する。火災感知器５０及び発信機５１は、受信機３０に接続されている。
【００１４】
火災感知器５０には、周囲の温度を検知する熱感知器や、煙を感知する煙感知器などがあり、それぞれに固有のアドレスが割り当てられている。例えば、周囲の温度を検知する火災感知器５０は、検知した温度を示す情報と、自身に割り当てられているアドレスとを受信機３０へ送信し、煙を感知する火災感知器５０は、感知した煙の状態を示す情報と、自身に割り当てられているアドレスとを受信機３０へ送信する。また、火災感知器５０は、動作していることを確認するためのＬＥＤ（Light Emitting Diode）を有している。発信機５１は、火災の発見者により操作されるボタンを有しており、発信機５１にも固有のアドレスが割り当てられている。発信機５１は、ボタンが操作されると、ボタンが操作されたことを示す情報と、自身に割り当てられているアドレスとを受信機３０へ送信する。発信機５１も、動作していることを確認するためのＬＥＤを有している。
【００１５】
また、火災報知設備２においては、受信機３０に接続されている中継器６５−１〜６５−５（以下、それぞれを区別しない場合には中継器６５という）にも、それぞれ固有のアドレスが割り当てられている。
中継器６５−１、６５−２には地区音響装置６１−１、６１−２が接続され（以下、それぞれを区別しない場合には地区音響装置６１という）、中継器６５−３には防火戸６２が接続されている。また、中継器６５−４にはシャッター６３が接続され、中継器６５−５には排煙機６４が接続されている。地区音響装置６１−１〜６１−２、防火戸６２、シャッター６３、排煙機６４も、動作していることを確認するためのＬＥＤを有している。
【００１６】
中継器６５−１および中継器６５−２は、受信機３０から送られる制御信号を受信し、受信した制御信号に基いて地区音響装置６１を制御する。中継器６５−３は、受信機３０から送られる制御信号を受信し、受信した制御信号に基いて防火戸６２を制御する。中継器６５−４は、受信機３０から送られる制御信号を受信し、受信した制御信号に基いてシャッター６３を制御する。中継器６５−５は、受信機３０から送られる制御信号を受信し、受信した制御信号に基いて排煙機６４を制御する。なお、中継器６５に接続される装置の数は、図１に示した数に限定されるものではなく、図１に示した数より多い数や少ない数であってもよい。
【００１７】
受信機３０は、火災感知器５０や発信機５１から送信される情報に基いて火災の発生を検知し、火災の発生場所を特定する。受信機３０は、火災の発生を検知し、火災の発生場所を特定すると、火災の発生を知らせるメッセージや、火災が発生した場所の表示、火災が発生した場所にある火災感知器５０や発信機５１のアドレスの表示などを行う。
また、受信機３０は、通信端末４０と接続されることにより、通信回線１０００を介して火災等の火災報知設備２の情報を外部に出力（送信）したり、外部から送信されたコマンドに応じて火災感知器５０や発信機５１の試験を行ったりする制御装置７０として機能する。
なお、本実施形態においては、受信機３０と通信端末４０とで制御装置７０として機能するが、制御装置７０は、受信機３０及び通信端末４０の機能を有した一つの装置として実現されてもよい。
また、火災報知設備２は、図１においては１つのみ記載されているが、複数の施設に設置されている。このため、通信回線１０００を介してサーバ装置１０と通信が可能な制御装置７０は、施設の数に応じて複数存在する場合がある。各施設にはそれぞれ固有の「物件番号」が割り当てられている。
【００１８】
［携帯端末２０の構成］
携帯端末２０は、パーソナルコンピュータ、ＰＤＡ（Personal Digital Assistant）、携帯電話、スマートフォン又はタブレット端末など、通信回線１０００に接続して通信を行うことが可能な装置である。携帯端末２０は、ＣＰＵ（Central Processing Unit）、ＲＯＭ（Read Only Memory）、ＲＡＭ（Random Access Memory）、不揮発性メモリ、操作手段及び画像の表示手段として機能するタッチスクリーン、通信インターフェースなどを有している。携帯端末２０の不揮発性メモリは、点検者が所持する携帯端末２０に割り当てられた端末ＩＤを記憶している。携帯端末２０においては、ＣＰＵは、ＲＯＭや不揮発性メモリに記憶されたプログラムを実行し、携帯端末２０の各部を制御する。
【００１９】
携帯端末２０のＣＰＵがプログラムを実行すると、通信回線１０００を介してサーバ装置１０と通信を行う機能や、サーバ装置１０から取得したウェブページを表示する機能などが実現する。図２には、携帯端末２０の一例である機能ブロック図が示されている。携帯端末２０は、図２に示したように、受付部２０１、コマンド送信部２０２及び情報受信部２０３を有する。
【００２０】
受付部２０１は、受信機３０を制御するためのユーザインターフェースや火災報知設備２が有する装置の試験結果をタッチスクリーンに表示し、火災報知設備２が有する装置の試験を行うためのコマンドを点検者から受け付けるブロックである。コマンド送信部２０２は、受付部２０１が受け付けたコマンドをサーバ装置１０へ送信するブロックである。情報受信部２０３は、サーバ装置１０から送信された情報を受信するブロックである。
【００２１】
［サーバ装置１０の構成］
サーバ装置１０は、ＣＰＵ、ＲＯＭ、ＲＡＭ、ディスプレイ装置、不揮発性メモリ、キーボードやマウスなどの操作手段及び通信回線１０００を介した通信を行う通信インターフェースを備えたコンピュータ装置である。
【００２２】
サーバ装置１０の不揮発性メモリは、図３に示した点検予定テーブルを記憶している。点検予定テーブルは、「端末ＩＤ」、「物件番号」、「点検対象装置」、「点検期間」のフィールドを有する。「端末ＩＤ」のフィールドには、点検者が所持する携帯端末２０に割り当てられた端末ＩＤが格納される。「物件番号」のフィールドには、点検の対象となる火災報知設備２が設置されている施設の物件番号が格納される。「点検対象装置」のフィールドには、火災報知設備２において点検の対象となる装置に割り当てられているアドレスが格納される。例えば、アドレスが１の装置からアドレスが８５の装置までを点検する場合、図３に示したように、個々の装置のアドレスではなく、アドレスの範囲が格納される。「点検期間」のフィールドには、点検者が点検を行う日時と時間帯を示す情報が格納される。
【００２３】
サーバ装置１０においては、ＣＰＵは、ＲＯＭや不揮発性メモリに記憶されたプログラムを実行し、サーバ装置１０の各部を制御する。サーバ装置１０のＣＰＵがプログラムを実行すると、携帯端末２０から送信されたコマンドを通信端末４０へ送信する機能や、火災報知設備２の状態等を携帯端末２０に表示させるページを生成し、生成したページを携帯端末２０へ送信する機能などが実現する。これらの機能が実現することにより、サーバ装置１０は、火災報知設備２の点検を支援する点検支援装置として機能する。
図２には、サーバ装置１０の一例である機能ブロック図が示されている。サーバ装置１０は、図２に示したように、コマンド中継部１０２、情報中継部１０１及び情報生成部１０３を有する。
【００２４】
情報中継部１０１は、携帯端末２０に表示させるページを通信端末４０から送信された情報に基いて生成し、生成したページを携帯端末２０へ送信する。生成されるページには、通信端末４０から送信された情報が含まれるため、情報中継部１０１は、通信端末４０と携帯端末２０との間で、通信端末４０から送信された情報を中継していることになる。
情報生成部１０３は、携帯端末２０からの要求に応じて携帯端末２０に表示させるページのデータを生成し、生成したデータを携帯端末２０へ送信する。コマンド中継部１０２は、携帯端末２０から送信されたコマンドを通信端末４０へ転送するブロックである。
【００２５】
［通信端末４０の構成］
通信端末４０は、パーソナルコンピュータ、ＰＤＡ（Personal Digital Assistant）、携帯電話、スマートフォン又はタブレット端末など、通信回線１０００に接続して通信を行うことが可能な装置である。通信端末４０は、ＣＰＵ、ＲＯＭ、ＲＡＭ、不揮発性メモリ、操作手段及び表示手段として機能するタッチスクリーン、通信回線１０００を介した通信を行う通信インターフェース、受信機３０と通信を行うインターフェースなどを有する。通信端末４０の不揮発性メモリは、点検者が点検する施設に割り当てられている物件番号を記憶する。通信端末４０においては、ＣＰＵは、ＲＯＭや不揮発性メモリに記憶されたプログラムを実行し、通信端末４０の各部を制御する。
【００２６】
通信端末４０のＣＰＵがプログラムを実行すると、通信回線１０００を介した通信を行う機能や受信機３０と通信を行う機能などが実現する。図２には、通信端末４０の一例である機能ブロック図が示されている。通信端末４０は、図２に示したように、情報送信部４０１と、コマンド受信部４０２とを有する。
【００２７】
情報送信部４０１は、受信機３０から出力された情報を通信回線１０００を介してサーバ装置１０へ送信するブロックである。コマンド受信部４０２は、携帯端末２０から送信されてサーバ装置１０で中継されたコマンドを受信するブロックである。
【００２８】
［受信機３０の構成］
受信機３０は、ＣＰＵ、ＲＯＭ、ＲＡＭ、不揮発性メモリ、操作手段及び表示手段として機能するタッチスクリーン、通信端末４０と通信を行う通信インターフェース、火災感知器５０や中継器６５が接続されるインターフェースなどを有する。
【００２９】
また、受信機３０の不揮発性メモリは、図４に示した設置データテーブルを記憶している。設置データテーブルは、「アドレス」、「種別」、「メッセージ」及び「連動アドレス」のフィールドを有する。
「アドレス」のフィールドには、火災感知器５０のアドレスや発信機５１のアドレス、中継器６５のアドレスなど、火災報知設備２に係る装置の各々に割り当てられているアドレスが格納される。
「種別」のフィールドには、同じレコードに格納されているアドレスで特定される装置の種別を示す情報が格納される。例えば、アドレスが「１」である火災感知器５０が、周囲の温度を検知する熱感知器である場合、図４に示したようにアドレスの「１」に対応付けて「熱感知器」という情報が格納される。また、アドレスが「４１」である装置が、地区音響装置６１−１を制御する中継器６５−１である場合、アドレスの「４１」に対応付けて「中継器」という情報が格納される。
【００３０】
「メッセージ」のフィールドには、同じレコードに格納されているアドレスで特定される装置の設置場所を示す情報が格納される。例えば、アドレスが「１」である火災感知器５０が、施設の１階の第１会議室に配置されている場合、図４に示したようにアドレスの「１」に対応付けて、「１階第１会議室」という情報が格納される。
「連動アドレス」のフィールドには、中継器６５に接続されている装置を、どの装置に連動して動作させるかを規定する情報が格納される。例えば、アドレス「１」が割り当てられた火災感知器５０−１からの信号で火災の発生を検知したときに防火戸６２を閉める場合、防火戸６２が接続されている中継器のアドレスの「４３」に対応付けて、火災感知器５０−１のアドレスである「１」という情報が格納される。なお、例えば、防火戸６２が、アドレスが１から１５の範囲の火災感知器５０や発信機５１に連動して動作する場合、連動アドレスのフィールドには、「１−１５」というように、防火戸６２を動作させる火災感知器５０や発信機５１のアドレスの範囲を格納してもよい。
【００３１】
受信機３０においては、ＣＰＵは、ＲＯＭや不揮発性メモリに記憶されたプログラムを実行し、受信機３０の各部を制御する。図２には、受信機３０の一例である機能ブロック図が示されている。受信機３０は、情報出力部３０１と試験部３０２とを有する。
【００３２】
情報出力部３０１は、受信機３０に接続されている装置の試験結果に係る情報を通信端末４０へ出力するブロックである。試験部３０２は、コマンド受信部４０２が受信したコマンドを取得し、取得したコマンドに基いて、火災報知設備２が有する装置の試験を行うブロックである。なお、試験部３０２は、受信機３０が有するタッチスクリーンにおいて、火災報知設備２が有する装置の試験を指示する操作が行われた場合にも、行われた操作に基いて試験を行う。なお、受信機３０が、通信回線１０００を介した通信を行う機能を備える場合、情報送信部４０１とコマンド受信部４０２を、受信機３０が有することとなる。
【００３３】
［実施形態の動作例］
次に、点検支援システム１の動作例について説明する。点検予定は、予めサーバ装置１０が記憶している点検予定テーブルに登録しておく。まず、携帯端末２０を所持している点検者は、火災報知設備２の点検作業を開始する場合、携帯端末２０を操作してウェブブラウザを起動する（図５：ステップＳ１）。点検者は、ウェブブラウザが起動した携帯端末２０を操作してサーバ装置１０へアクセスする。
携帯端末２０がサーバ装置１０へアクセスすると（ステップＳ２）、サーバ装置１０は、携帯端末２０に対して端末ＩＤを要求するメッセージを送信する（ステップＳ３）。携帯端末２０は、このメッセージを受信すると、不揮発性メモリに記憶されている端末ＩＤを、この要求に応じてサーバ装置１０へ送信する（ステップＳ４）。
【００３４】
サーバ装置１０は、携帯端末２０から送信された端末ＩＤを受信すると、受信した端末ＩＤが格納されているレコードを、点検予定テーブルにおいて検索する。例えば、サーバ装置１０は、受信した端末ＩＤが「５７８」である場合、端末ＩＤのフィールドに「５７８」が格納されているレコードを点検予定テーブルにおいて検索する。ここで、図３に示した点検予定テーブルの場合、端末ＩＤ「５７８」が格納されている１行目のレコードが検索される。
【００３５】
次にサーバ装置１０は、検索されたレコードに格納されている点検期間を抽出し、この時点の日時が抽出した点検期間内であるか判断する。サーバ装置１０は、この時点の日時が抽出した点検期間内である場合、検索されたレコードに格納されている物件番号を抽出する。サーバ装置１０は、設置データテーブルを要求するメッセージを、抽出した物件番号を記憶した通信端末４０を宛先として送信する（ステップＳ５）。
【００３６】
このメッセージは、通信端末４０で受信され、受信機３０へ送られる（ステップＳ６）。受信機３０は、このメッセージを受信すると、不揮発性メモリに記憶している設置データテーブルを通信端末４０へ出力する（ステップＳ７）。通信端末４０は、受信機３０から出力された設置データテーブルをサーバ装置１０へ送信する（ステップＳ８）。
【００３７】
サーバ装置１０は、通信端末４０から送信された設置データテーブルを物件番号に関連付けて記憶する。また、サーバ装置１０は、ウェブページのデータを携帯端末２０へ送信する（ステップＳ９）。このデータを受信した携帯端末２０においては、図６に例示したウェブページが表示される（ステップＳ１０）。図６に示した例においては、ウェブページ内にメインメニューが表示され複数のボタンが配置されている。ここで、点検者が「火災試験」のボタンの位置に触れると、携帯端末２０がサーバ装置１０と通信を行い（ステップＳ１１、Ｓ１２）、図７に例示した火災試験メニューを有するウェブページのデータが携帯端末２０へ送信され、当該ウェブページが表示される（ステップＳ１３）。
【００３８】
図７に例示した画面が表示されている状態において、点検者が数字ボタンの位置に触れると（ステップＳ１４）、触れた位置にあるボタンに対応した数字が、アドレスの表示領域に表示される（ステップＳ１５）。例えば、点検者が「１」のボタンの位置に触れると、図８に例示したように、アドレスの表示領域に「１」が表示される。携帯端末２０は、アドレスの表示領域に数字を表示すると、表示した数字、即ちアドレスを端末ＩＤとともにサーバ装置１０へ送信する（ステップＳ１６）。
【００３９】
サーバ装置１０は、携帯端末２０から送信されたアドレスと端末ＩＤを受信すると、受信した端末ＩＤ格納されているレコードを点検予定テーブルにおいて検索し、受信したアドレスおよび受信した時間が、検索されたレコードに格納されている点検対象装置および点検期間内であるかを判断する。点検期間内でない場合には、サーバ装置１０は、点検期間内でないことを知らせるウェッブページのデータを携帯端末２０へ送信する。点検期間内である場合には、サーバ装置１０は、端末ＩＤに基き物件番号を割り出し、受信したアドレスが格納されているレコードを、記憶した該当する物件番号の設置データテーブルにおいて検索する。例えば、サーバ装置１０は、受信したアドレスが「１」である場合、アドレスのフィールドに「１」が格納されているレコードを設置データテーブルにおいて検索する。ここで、図４に示した設置データテーブルの場合、アドレス「１」が格納されている１行目のレコードが検索される。サーバ装置１０は、検索されたレコードの「種別」のフィールドと「メッセージ」のフィールドに格納されている情報を抽出し（ステップＳ１７）、抽出した情報を携帯端末２０へ送信する（ステップＳ１８）。例えば、図４の設置データテーブルの１行目のレコードが検索された場合、種別の情報として「熱感知器」が送信され、「メッセージ」の情報として「１階第１会議室」が送信される。携帯端末２０は、サーバ装置１０から送信された情報を受信すると、図９に例示したように、受信した種別とメッセージの情報を表示する。
【００４０】
次に、点検者は、表示されている装置の試験を行う場合、画面に表示されている「実行」ボタンの位置に触れる（ステップＳ１９）。点検者が「実行」ボタンの位置に触れると、表示されているアドレスの装置の試験の実行を指示するコマンドが入力されたことになり、入力されたコマンドを受付部２０１が受け付ける。受付部２０１が受け付けたコマンドは、表示されているアドレス及び記憶している端末ＩＤと共にコマンド送信部２０２へ送られる。コマンド送信部２０２は、送られたコマンド、アドレス及び端末ＩＤをサーバ装置１０へ送信する。例えば、表示されているアドレスが「１」の場合、試験の実行を指示するコマンドと、アドレスの「１」がサーバ装置１０へ送信される（ステップＳ２０）。なお、図７〜９に例示した画面が表示されている状態において、点検者が「戻る」のボタンの位置に触れると、携帯端末２０で表示される画面は、図６の画面に戻り、メニュー部分の表示がメインメニューに遷移する。
【００４１】
サーバ装置１０は、携帯端末２０から送信されたコマンド、アドレス及び端末ＩＤを受信し、受信したコマンドとアドレスの送信先を特定する（ステップＳ２１）。なお、送信先を特定する動作は、ステップＳ４で端末ＩＤを受信したときと同様であるため、その説明を省略する。コマンド中継部１０２は、携帯端末２０から送信されたコマンドとアドレスとを、送信先として特定した通信端末４０へ送信する（ステップＳ２２）。サーバ装置１０から送信されたコマンド及びアドレスは、通信端末４０により受信される。通信端末４０のコマンド受信部４０２は、受信したコマンド及びアドレスを受信機３０へ出力する（ステップＳ２３）。
【００４２】
この出力されたコマンド及びアドレスは、試験部３０２が取得する。試験部３０２は、取得したコマンド及びアドレスに応じて、火災報知設備２が有する装置を試験する（ステップＳ２４）。例えば、試験部３０２は、取得したアドレスが「１」である場合、アドレスが「１」である装置に対して、試験の実行を指示するコマンドを送信する。アドレスが「１」である装置が火災感知器５０−１である場合、火災感知器５０−１は、受信機３０から送信されたコマンドを受信する。
【００４３】
コマンドを受信した火災感知器５０−１は、自装置に異常がないか試験を行う。火災感知器５０−１は、試験を行った結果、異常が無かった場合、検知した温度を表す温度情報、自身に割り当てられているアドレス、及び試験の実行を指示するコマンドに対する応答であることを示す応答フラグを受信機３０へ送信する。また、火災感知器５０−１は、試験を行った結果、異常が無かった場合、自身が有するＬＥＤを点灯させる。
【００４４】
受信機３０は、火災感知器５０−１から送信された温度情報、アドレス及び応答フラグを受信する。受信機３０は、応答フラグを受信すると、設置データテーブルにおいて受信したアドレスが格納されているレコードの「メッセージ」のフィールドに格納されているメッセージと、「種別」のフィールドに格納されている装置種別を抽出する。次に情報出力部３０１は、火災が発生したことを示す発報情報、試験を行った装置のアドレス、抽出した装置種別及び抽出したメッセージを通信端末４０へ出力する（ステップＳ２５）。
【００４５】
通信端末４０へ出力された発報情報、アドレス、メッセージ及び装置種別は、情報送信部４０１が受信する。情報送信部４０１は、受信した発報情報、アドレス、メッセージ、装置種別及び記憶している物件番号をサーバ装置１０へ送信する（ステップＳ２６）。
サーバ装置１０の情報中継部１０１は、通信端末４０から送信された発報情報、アドレス、メッセージ、装置種別及び物件番号を受信する。情報中継部１０１が、発報情報、アドレス、装置種別及び物件番号を受信すると、サーバ装置１０は、ウェブページのデータの送信先を特定する（ステップＳ２７）。具体的には、サーバ装置１０は、受信した物件番号が格納されているレコードを点検予定テーブルにおいて検索する。例えば、サーバ装置１０は、受信した物件番号が「０１１」である場合、物件番号のフィールドにおいて「０１１」が格納されているレコードを点検予定テーブルにおいて検索する。ここで、図３に示した点検予定テーブルの場合、物件番号「０１１」が格納されている１行目のレコードが検索される。
【００４６】
次にサーバ装置１０は、検索されたレコードに格納されている点検期間を抽出し、この時点の日時が抽出した点検期間内であるか判断する。サーバ装置１０は、この時点の日時が抽出した点検期間内である場合、検索されたレコードの「点検対象装置」のフィールドに受信したアドレスが格納されているか判断する。例えば、受信したアドレスが「１」である場合、検索された１行目のレコードの点検対象装置のフィールドには、「１−５５」というように、１から５５までのアドレスを示す情報が格納されているため、受信したアドレスが格納されていることになる。
【００４７】
情報生成部１０３は、受信したアドレスが検索されたレコードに格納されている場合、検索されたレコードに格納されている端末ＩＤを抽出し、抽出した端末ＩＤで特定される携帯端末２０に表示させるウェブページのデータを生成する（ステップＳ２８）。
具体的には、情報生成部１０３は、図１０に例示したように、火災発生を知らせるメッセージ（発報）、受信した装置種別（熱感知器）、受信したアドレス（１）、受信したメッセージ（一階第１会議室）及び図７に例示した火災試験メニューを有するウェブページを表すデータを生成する。この生成されたデータは、情報中継部１０１により、上記の抽出された端末ＩＤで特定される携帯端末２０へ送信される（ステップＳ２９）。
【００４８】
携帯端末２０の情報受信部２０３は、サーバ装置１０から送信されたデータを受信する。情報受信部２０３がデータを受信すると、携帯端末２０は、受信したデータが表すウェブページをタッチスクリーンに表示する（ステップＳ３０）。これにより、図１０に例示したウェブページが携帯端末２０において表示される。
【００４９】
なお、上述した実施形態においては、試験の実行を指示するコマンドの送信先となった火災感知器５０や発信機５１から応答フラグの送信が無かった場合や、異常の発生を示す情報が受信機３０へ送信された場合、この情報は、通信端末４０を介してサーバ装置１０へ送信される。サーバ装置１０は、この情報を受信すると、携帯端末２０から送信されたアドレスの火災感知器５０に異常があることを示すウェブページを携帯端末２０へ送信し、携帯端末２０は、送信されたウェブページを表示する。
【００５０】
以上説明したように、本実施形態によれば、点検者が受信機３０を操作しなくても、携帯端末２０を操作することにより、火災感知器５０や発信機５１に異常がないか試験を行うことができる。
また、本実施形態においては、試験を行った火災感知器５０や発信機５１は、自身が有するＬＥＤを点灯させ、携帯端末２０は、図１０に例示したように、試験を行った火災感知器５０又は発信機５１のアドレスや設置場所、種別などを表示する。ＬＥＤが点灯している装置がある場所と、携帯端末２０に表示された設置場所との一致を点検者が確認すれば、設置データテーブルにおけるアドレスと設置場所（メッセージ）との対応付けが正しいか確認することができる。
なお、携帯端末２０に表示された設置場所に点検者がいるにも関わらず、表示された設置場所にある火災感知器５０や発信機５１のＬＥＤが点灯していない場合、指定されたドレスの火災感知器５０や発信機５１は他の場所にあることになり、アドレスと設置場所（メッセージ）との対応付けが誤っていることになる。この場合、火災感知器５０や発信機５１に設定されているアドレス又は設置データテーブルの内容を設定しなおせばよい。
【００５１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５２】
上述した実施形態においては、受信機３０はＲ型となっているが、Ｒ型に限定されるものではない。例えば、Ｐ型（Proprietary-type）の受信機を使用するシステムにおいては、火災感知器にアドレスを付与し、火災を検知した火災検知器を特定できるものもある。このようにＰ型の受信機を使用するシステムにおいても、アドレス及び試験の実行を指示するコマンドを携帯端末２０から送信し、火災感知器５０の試験を行うようにしてもよい。
【００５３】
また、上述した実施形態においては、地区音響装置６１や防火戸６２、シャッター６３、排煙機６４などは中継器６５に接続され、中継器６５を介して受信機３０から制御されるが、中継器６５を介さずに受信機３０に接続し、受信機３０から各装置を直接制御するようにしてもよい。
【００５４】
上述した実施形態においては、設置データテーブルを受信機３０からサーバ装置１０へ送信してサーバ装置１０が記憶するようにしたが、設置データテーブルを事前にサーバ装置１０に記憶させるようにしてもよい。また、設置データテーブルをサーバ装置１０に記憶させず、携帯端末２０にアドレスを入力するたびに受信機３０にアドレスを送信して、受信機３０が設置データテーブルからアドレスに対応した「種別」や「メッセージ」をサーバ装置１０に送るようにしてもよい。
【００５５】
上述した実施形態においては、点検支援システム１は、サーバ装置１０を含む構成となっているが、サーバ装置１０を備えない構成であってもよい。例えば、通信端末４０に点検予定テーブルを記憶させ、通信端末４０において、サーバ装置１０が有する機能が実現するようにしてもよい。この構成によれば、サーバ装置１０を中継せずに通信端末４０と携帯端末２０とが情報やコマンドをやり取りするため、送られた情報やコマンドが送信先に到達するまでの時間を短くすることができる。
【００５６】
上述した実施形態においては、点検予定テーブルにおいて、端末ＩＤのみが異なるレコードを複数設けることにより、複数台の携帯端末２０で複数個の火災感知器５０の試験を分担して行うことができる。この場合、一台の携帯端末２０から試験の実行を指示するコマンドが送信され、試験の結果を示すウェブページが携帯端末２０へ送信されるまでの間は、他の携帯端末２０から試験の実行を指示するコマンドが送信されても、サーバ装置１０は、コマンドを受け付けないようにしてもよい。
なお、この場合、後からコマンドを送信した携帯端末２０において、試験を実行できないことを知らせるウェブページ（図１１参照）が表示されるように、後からコマンドを送信した携帯端末２０へ、サーバ装置１０からウェブページのデータを送信するようにしてもよい。
【００５７】
また、試験の実行を指示するコマンドが送信され、試験の結果を示すウェブページが携帯端末２０へ送信されるまでの間に他の携帯端末２０から試験の実行を指示するコマンドを受け付けないようにする構成は、上述した変形例の構成に限定されるものではない。
例えば、図１２に例示したように、携帯端末２０に表示させるウェブページにおいて、「試験開始」ボタンと「試験終了」ボタンとを設ける。携帯端末２０は、点検者が「試験開始」ボタンの位置に触れると、試験の開始を示すメッセージと端末ＩＤとをサーバ装置１０へ送信する。また、携帯端末２０は、点検者が「試験終了」ボタンの位置に触れると、試験の終了を示すメッセージと端末ＩＤとをサーバ装置１０へ送信する。
【００５８】
一台の携帯端末２０から試験の開始を示すメッセージが送信された後、当該メッセージを送信した携帯端末２０から試験の終了を示すメッセージが送信されるまでの間は、サーバ装置１０は、他の携帯端末２０から試験の開始を示すメッセージや試験の実行を指示するコマンドが送信されても、これらのメッセージやコマンドを受け付けない。
なお、試験の開始を指示するメッセージが送信されてから、試験の終了を示すメッセージが送信されるまでの間においては、他の携帯端末２０から試験の開始を指示するメッセージが送信された場合、後からコマンドを送信した携帯端末２０において、図１１に示したウェブページが表示されるように、サーバ装置１０から携帯端末２０へウェブページのデータを送信するようにしてもよい。
【００５９】
上述した変形例においては、試験開始のメッセージが送信されてから所定時間、試験実行のコマンド及びアドレスの送信がされなかった場合、図１３に例示したように、試験の終了を知らせるウェブページを携帯端末２０において表示させるようにしてもよい。
また、上述した実施形態においても、試験の実行を指示するコマンドを受信機３０へ送信してから所定時間、火災感知器５０や発信機５１から応答がなかった場合、図１４に例示したように、試験の終了を知らせるウェブページを携帯端末２０において表示させるようにしてもよい。
【００６０】
本発明においては、受信機３０において、図面に示した火災試験メニューを表示し、火災感知器５０や発信機５１の試験を行えるようにしてもよい。
また、受信機３０を操作して試験を指示するコマンドが火災感知器５０や発信機５１へ送信された場合、試験中であることを示すメッセージを受信機３０から通信端末４０を介してサーバ装置１０へ送信し、受信機３０が火災感知器５０や発信機５１からの応答を受信した場合、試験中ではないことを示すメッセージを受信機３０からサーバ装置１０へ送信してもよい。そして、サーバ装置１０は、試験中であることを示すメッセージを受信してから試験中ではないことを示すメッセージを受信するまでの間においては、携帯端末２０からアクセスがあった場合、図１１の画面が表示されるようにしてもよい。
【００６１】
また、受信機３０において、図１２に示した火災試験メニューを表示し、試験開始のボタンが操作された場合、試験中であることを示すメッセージを受信機３０からサーバ装置１０へ送信し、試験終了のボタンが操作された場合、試験中ではないことを示すメッセージを受信機３０からサーバ装置１０へ送信してもよい。そして、サーバ装置１０は、試験中であることを示すメッセージを受信してから試験中ではないことを示すメッセージを受信するまでの間においては、携帯端末２０からアクセスがあった場合、図１１の画面が表示されるようにしてもよい。
【００６２】
上述した実施形態においては、火災感知器５０を試験するコマンドを受け付けるユーザインターフェースや、受信機３０が出力した情報の表示をサーバ装置１０から送信されるウェブページで実現しているが、この構成に限定されるものではない。例えば、火災感知器５０を試験するためのユーザインターフェースの表示や、受信機３０が出力した情報の表示を行うアプリケーションプログラムを携帯端末２０に記憶させ、この記憶したプログラムを実行することで、火災感知器５０を試験するためのユーザインターフェースや、受信機３０が出力した情報の表示を実現するようにしてもよい。
【００６３】
上述した実施形態においては、受信機３０は、試験を行なっている火災感知器５０以外の火災感知器５０から送られた情報により火災の発生を検知した場合、地区音響装置６１を鳴動させ、火災の発生を報知してもよい。
【符号の説明】
【００６４】
１…点検支援システム、２…火災報知設備、１０…サーバ装置、２０…携帯端末、３０…受信機、４０…通信端末、５０、５０−１〜５０−ｎ…火災感知器、５１…発信機、６１、６１−１、６１−２…地区音響装置、６２…防火戸、６３…シャッター、６４…排煙機、６５、６５−１〜６５−５…中継器、７０…制御装置、１０１…情報中継部、１０２…コマンド中継部、１０３…情報生成部、２０１…受付部、２０２…コマンド送信部、２０３…情報受信部、３０１…情報出力部、３０２…試験部、４０１…情報送信部、４０２…コマンド受信部。
【図１】
2014071659.tif 000003
【図２】
2014071659.tif 000004
【図３】
2014071659.tif 000005
【図４】
2014071659.tif 000006
【図５】
2014071659.tif 000007
【図６】
2014071659.tif 000008
【図７】
2014071659.tif 000009
【図８】
2014071659.tif 000010
【図９】
2014071659.tif 000011
【図１０】
2014071659.tif 000012
【図１１】
2014071659.tif 000013
【図１２】
2014071659.tif 000014
【図１３】
2014071659.tif 000015
【図１４】
2014071659.tif 000016